【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
読取手段により原稿を読み取ることで得られた画像を外部装置に送信する送信機能を有する画像処理装置と通信可能なモバイル端末の制御方法を前記モバイル端末が有するコンピュータに実行させるプログラムであって、
前記画像処理装置から、前記画像処理装置の前記送信機能で使用する宛先を含む前記送信機能に関するデータを受信する受信工程と、
前記受信工程で受信した前記データに基づいて前記送信機能の設定を行うための画面の表示を制御する表示制御工程と、
前記画面を介したユーザ操作が行われた後に、前記画像処理装置の前記送信機能で使用する宛先を含む前記送信機能に関するデータを前記画像処理装置に対して送信する送信工程と、
を有することを特徴とするプログラム。
【請求項２】
読取手段により原稿を読み取ることで得られた画像を外部装置に送信する送信機能を有する画像処理装置と通信可能なモバイル端末の制御方法を前記モバイル端末が有するコンピュータに実行させるプログラムであって、
前記画像処理装置から、前記画像処理装置の送信機能で使用する設定を含むデータを受信する受信工程と、
前記受信工程で受信した前記データに基づいて前記画像処理装置の前記送信機能で使用する設定を選択するための画面の表示を制御する表示制御工程と、
前記画面を介して複数の設定を選択するユーザ操作を受け付けた後に、当該選択された複数の設定を取得する取得工程と、
前記取得工程で複数の設定を取得した後に、前記画像処理装置に前記送信機能に関する設定を送信するユーザ操作を受け付けたことに応じて、前記取得した複数の選択に対応する複数の設定情報に基づいて得られる前記送信機能に関するデータを前記画像処理装置に対して送信する送信工程と、
を有することを特徴とするプログラム。
【請求項３】
前記複数の設定情報に対応する複数の設定を含むデータを生成する生成工程を更に有し、
前記送信工程は、前記生成工程で生成されたデータを前記送信機能に関するデータとして前記画像処理装置に対して送信することを特徴とする請求項２に記載のプログラム。
【請求項４】
前記受信工程で受信するデータは、所定のデータ交換方式に則ったテキストベースのデータであることを特徴とする請求項１乃至３のいずれか１項に記載のプログラム。
【請求項５】
前記送信工程で送信する前記送信機能に関するデータは、少なくとも前記送信機能で使用する宛先と、前記送信機能に関する送信設定とを含むことを特徴とする請求項１乃至４のいずれか１項に記載のプログラム。
【請求項６】
前記送信工程で送信する前記送信機能に関するデータは、少なくとも解像度に関する設定と、前記送信機能で使用する宛先と、前記送信機能による画像送信を引き起こすための指示と、を含むことを特徴とする請求項１乃至４のいずれか１項に記載のプログラム。
【請求項７】
前記モバイル端末は、無線ネットワークインタフェースを更に備え、
前記受信工程および前記送信工程における前記画像処理装置とのデータの送受信は、前記無線ネットワークインタフェースを介して行われることを特徴とする請求項１乃至６のいずれか１項に記載のプログラム。
【請求項８】
前記画像処理装置は、前記読取手段により原稿を読み取ることで得られた画像をシートに印刷するコピー機能を更に有し、
前記プログラムは、所定のユーザ操作が行われたことに従って、前記コピー機能で使用するコピー設定を含むデータを前記画像処理装置に送信する第２の送信工程を更に有することを特徴とする請求項１乃至７のいずれか１項に記載のプログラム。
【請求項９】
読取手段により原稿を読み取ることで得られた画像を外部装置に送信する送信機能を有する画像処理装置と通信可能なモバイル端末であって、
前記画像処理装置から、前記画像処理装置の前記送信機能で使用する宛先を含む前記送信機能に関するデータを受信する受信手段と、
前記受信手段によって受信した前記データに基づいて前記送信機能の設定を行うための画面を表示する表示手段と、
前記画面を介したユーザ操作が行われた後に、前記画像処理装置の前記送信機能で使用する宛先を含む前記送信機能に関するデータを前記画像処理装置に対して送信する送信手段と、
を有することを特徴とするモバイル端末。
【請求項１０】
読取手段により原稿を読み取ることで得られた画像を外部装置に送信する送信機能を有する画像処理装置と通信可能なモバイル端末であって、
前記画像処理装置から、前記画像処理装置の送信機能で使用する設定を含むデータを受信する受信手段と、
前記受信手段によって受信した前記データに基づいて前記画像処理装置の前記送信機能で使用する設定を選択するための画面を表示する表示手段と、
前記画面を介して複数の設定を選択するユーザ操作を受け付けた後に、当該選択された複数の設定を取得する取得手段と、
前記取得手段により複数の設定を取得した後に、前記画像処理装置に前記送信機能に関する設定を送信するユーザ操作を受け付けたことに応じて、前記取得した複数の選択に対応する複数の設定情報に基づいて得られた前記送信機能に関するデータを前記画像処理装置に対して送信する送信手段と、
を有することを特徴とするモバイル端末。
【請求項１１】
前記複数の設定情報に対応する複数の設定を含むデータを生成する生成手段を更に有し、
前記送信手段は、前記生成手段によって生成されたデータを前記送信機能に関するデータとして前記画像処理装置に対して送信することを特徴とする請求項１０に記載のモバイル端末。
【請求項１２】
前記受信手段により受信するデータは、所定のデータ交換方式に則ったテキストベースのデータであることを特徴とする請求項９乃至１１のいずれか１項に記載のモバイル端末。
【請求項１３】
前記送信手段により送信する前記送信機能に関するデータは、少なくとも前記送信機能で使用する宛先と、前記送信機能に関する送信設定とを含むことを特徴とする請求項９乃至１２のいずれか１項に記載のモバイル端末。
【請求項１４】
前記送信手段により送信する前記送信機能に関するデータは、少なくとも解像度に関する設定と、前記送信機能で使用する宛先を示す情報と、送信機能による送信を引き起こすための指示と、を含むことを特徴とする請求項９乃至１２のいずれか１項に記載のモバイル端末。
【請求項１５】
前記モバイル端末は、無線ネットワークインタフェースを更に備え、
前記受信手段および前記送信手段は、前記無線ネットワークインタフェースを介して前記画像処理装置とのデータの送受信を行うことを特徴とする請求項９乃至１４のいずれか１項に記載のモバイル端末。
【請求項１６】
前記画像処理装置は、前記読取手段により原稿を読み取ることで得られた画像をシートに印刷するコピー機能を更に有し、
前記モバイル端末は、所定のユーザ操作が行われたことに従って、前記コピー機能で使用するコピー設定を含むデータを前記画像処理装置に送信する第２の送信手段を更に有することを特徴とする請求項９乃至１５のいずれか１項に記載のモバイル端末。
【請求項１７】
請求項９乃至１６のいずれか１項に記載のモバイル端末と、前記モバイル端末と通信可能な画像処理装置とを含む画像処理システムであって、
前記画像処理装置は、
原稿を読み取る読取手段と、
前記モバイル端末に対して前記画像処理装置の前記送信機能で使用する宛先を含む前記送信機能に関するデータを送信する第３の送信手段と、
前記モバイル端末から前記送信機能に関するデータを受信する第２の受信手段と、
前記第２の受信手段によって受信した前記送信機能に関するデータに基づいて、前記読取手段により原稿を読み取ることで得られた画像を前記送信機能に関するデータに含まれる宛先に送信する第４の送信手段と、
を有することを特徴とする画像処理システム。
【請求項１８】
読取手段により原稿を読み取ることで得られた画像を外部装置に送信する送信機能を有する画像処理装置と通信可能なモバイル端末を制御する制御方法であって、
前記画像処理装置から、前記画像処理装置の前記送信機能で使用する宛先を含む前記送信機能に関するデータを受信する受信工程と、
前記受信工程で受信した前記データに基づいて前記送信機能の設定を行うための画面の表示を制御する表示制御工程と、
前記画面を介したユーザ操作が行われた後に、前記画像処理装置の前記送信機能で使用する宛先を含む前記送信機能に関するデータを前記画像処理装置に対して送信する送信工程と、
を有することを特徴とする制御方法。
【請求項１９】
読取手段により原稿を読み取ることで得られた画像を外部装置に送信する送信機能を有する画像処理装置と通信可能なモバイル端末を制御する制御方法であって、
前記画像処理装置から、前記画像処理装置の送信機能で使用する設定を含むデータを受信する受信工程と、
前記受信工程で受信した前記データに基づいて前記画像処理装置の前記送信機能で使用する設定を選択するための画面を表示するよう制御する表示工程と、
前記画面を介して複数の設定を選択するユーザ操作を受け付けた後に、当該選択された複数の設定を取得する取得工程と、
前記取得工程で複数の設定を取得した後に、前記画像処理装置に前記送信機能に関する設定を送信するユーザ操作を受け付けたことに応じて、前記取得した複数の選択に対応する複数の設定情報に基づいて得られる前記送信機能に関するデータを前記画像処理装置に対して送信する送信工程と、
を有することを特徴とする制御方法。
【請求項２０】
前記複数の設定情報に対応する複数の設定を含むデータを生成する生成工程を更に有し、
前記送信工程は、前記生成工程で生成されたデータを前記送信機能に関するデータとして前記画像処理装置に対して送信することを特徴とする請求項１９に記載の制御方法。
【請求項２１】
前記受信工程で受信するデータは、所定のデータ交換方式に則ったテキストベースのデータであることを特徴とする請求項１８乃至２０のいずれか１項に記載の制御方法。
【請求項２２】
前記送信工程で送信する前記送信機能に関するデータは、少なくとも前記送信機能で使用する宛先と、前記送信機能に関する送信設定とを含むことを特徴とする請求項１８乃至２１のいずれか１項に記載の制御方法。
【請求項２３】
前記送信工程で送信する前記送信機能に関するデータは、少なくとも解像度に関する設定と、前記送信機能で使用する宛先と、前記送信機能による画像送信を引き起こすための指示と、を含むことを特徴とする請求項１８乃至２２のいずれか１項に記載の制御方法。
【請求項２４】
前記モバイル端末は、無線ネットワークインタフェースを更に備え、
前記受信工程および前記送信工程における前記画像処理装置とのデータの送受信は、前記無線ネットワークインタフェースを介して行われることを特徴とする請求項１８乃至２３のいずれか１項に記載の制御方法。
【請求項２５】
前記画像処理装置は、前記読取手段により原稿を読み取ることで得られた画像をシートに印刷するコピー機能を更に有し、
前記制御方法は、所定のユーザ操作が行われたことに従って、前記コピー機能で使用するコピー設定を含むデータを前記画像処理装置に送信する第２の送信工程を更に有することを特徴とする請求項１８乃至２４のいずれか１項に記載の制御方法。
【手続補正２】
【補正対象書類名】明細書
【補正対象項目名】発明の名称
【補正方法】変更
【補正の内容】
【発明の名称】プログラム、モバイル端末、制御方法、及び画像処理システム
【手続補正３】
【補正対象書類名】明細書
【補正対象項目名】０００１
【補正方法】変更
【補正の内容】
【０００１】
本発明は、プログラム、モバイル端末、制御方法、及び画像処理システムに関し、特に、モバイル端末からの指示により画像処理装置を動作させるために用いて好適なものである。
【手続補正４】
【補正対象書類名】明細書
【補正対象項目名】０００２
【補正方法】変更
【補正の内容】
【０００２】
多くの画像処理装置はプリセットボタンを持っている。予め設定の内容を画像処理装置に記憶させておき、その設定の内容をプリセットボタンの操作に基づき呼び出すことにより、複雑な設定であっても簡単に画像処理装置に対する設定を行って、その設定の内容（機能）を使用することができる。また、このような設定の内容を個人毎に保存することによって、さらに利便性を高めたものもある（特許文献１を参照）。尚、以下の説明では、このような設定を必要に応じてプリセットと称する。
【手続補正５】
【補正対象書類名】明細書
【補正対象項目名】０００４
【補正方法】変更
【補正の内容】
【０００４】
しかし、プリセットの内容を個々の画像処理装置に予め設定しておく必要があるため、次のような問題点がある。
ユーザは、同じ機種の画像処理装置の場合でも、プリセットがなされていない画像処理装置に対しては、プリセットがなされている画像処理装置における通常の操作を行っても、そのプリセットによる機能の実行を指示できない。つまり、ユーザが通常使用している画像処理装置にプリセットされている内容が、例えば別のフロアに設置されている画像処理装置や、別の事業所の画像処理装置には設定されていないことがほとんどである。さらに出張先の画像処理装置には、所望のプリセットはなされていない。所望のプリセットがなされていない画像処理装置を使用する際には、同じ機種の同じ機能に対して同じ使い方をする場合であったとしても、通常とは違う操作をユーザは強いられることになり、不便である。
本発明は、読取手段により原稿を読み取ることで得られた画像を外部装置に送信する送信機能を有する画像処理装置と通信可能なモバイル端末の制御方法を前記モバイル端末が有するコンピュータに実行させるプログラムであって、前記画像処理装置から、前記画像処理装置の前記送信機能で使用する宛先を含む前記送信機能に関するデータを受信する受信工程と、前記受信工程で受信した前記データに基づいて前記送信機能の設定を行うための画面の表示を制御する表示制御工程と、前記画面を介したユーザ操作が行われた後に、前記画像処理装置の前記送信機能で使用する宛先を含む前記送信機能に関するデータを前記画像処理装置に対して送信する送信工程と、を有するプログラムを提供することを目的とする。
【手続補正６】
【補正対象書類名】明細書
【補正対象項目名】０００５
【補正方法】変更
【補正の内容】
【０００５】
本発明のプログラムは、読取手段により原稿を読み取ることで得られた画像を外部装置に送信する送信機能を有する画像処理装置と通信可能なモバイル端末の制御方法を前記モバイル端末が有するコンピュータに実行させるプログラムであって、前記画像処理装置から、前記画像処理装置の前記送信機能で使用する宛先を含む前記送信機能に関するデータを受信する受信工程と、前記受信工程で受信した前記データに基づいて前記送信機能の設定を行うための画面の表示を制御する表示制御工程と、前記画面を介したユーザ操作が行われた後に、前記画像処理装置の前記送信機能で使用する宛先を含む前記送信機能に関するデータを前記画像処理装置に対して送信する送信工程と、を有することを特徴とする。
【手続補正７】
【補正対象書類名】明細書
【補正対象項目名】０００６
【補正方法】変更
【補正の内容】
【０００６】
本発明によれば、読取手段により原稿を読み取ることで得られた画像を外部装置に送信する送信機能を有する画像処理装置と通信可能なモバイル端末の制御方法を前記モバイル端末が有するコンピュータに実行させるプログラムであって、前記画像処理装置から、前記画像処理装置の前記送信機能で使用する宛先を含む前記送信機能に関するデータを受信する受信工程と、前記受信工程で受信した前記データに基づいて前記送信機能の設定を行うための画面の表示を制御する表示制御工程と、前記画面を介したユーザ操作が行われた後に、前記画像処理装置の前記送信機能で使用する宛先を含む前記送信機能に関するデータを前記画像処理装置に対して送信する送信工程と、を有するプログラムを提供することができる。